(57)【特許請求の範囲】
【請求項１】
電線を内部に挿通させる電線挿通孔、該電線挿通孔に連通する内方収納部並びに前記電線挿通孔に対する電線の挿通方向と略直交する方向から前記内方収納部に連通する操作孔を有する器体と、前記内方収納部内に納装されて前記電線挿通孔から挿通される電線の導体と接触導通する端子板と、前記導体を前記端子板方向に押圧して前記導体を前記端子板との間で挟持する鎖錠ばねと、前記導体の先端部によって押圧される被押圧部を有して前記電線挿通孔に対する電線挿通方向に沿って移動自在に前記内方収納部内に配設され、電線の非接続時には電線の接続未完了状態を表示する復帰位置に在り、前記電線挿通孔から電線の導体が挿通されて前記導体の先端部が前記端子板と前記鎖錠ばねとの間で挟持される挟持位置を越えて前記被押圧部が前記導体の先端部に押圧されると導体の接続完了状態を表示する接続完了位置まで前記内方収納部内を電線の挿通向きに移動する表示部材とを備え、前記表示部材を前記操作孔の連通方向に沿って移動自在に内方収納部内に配設し、前記操作孔から挿通される治具により押圧操作して前記接続完了位置に在る前記表示部材を前記治具の挿通向きに移動させたときに前記鎖錠ばねの導体を押圧する部位を撓ませて鎖錠ばねと導体とを開離させる解錠部を、少なくとも前記復帰位置において鎖錠ばねを撓ませないように前記表示部材に設け、前記器体の外側に開口して電線の被覆を含む外径よりも大きい径を有する大径部と、前記内方収納部側に開口して前記被覆を含む外径よりも小さく且つ前記導体の外径よりも大きい径を有する小径部とで前記電線挿通孔を構成し、電線の挿通方向に略直交する方向から前記大径部に連通する確認孔を前記器体に設けたことを特徴とする速結端子装置。
【請求項２】
前記復帰位置に在る表示部材を視認不可能とし且つ接続完了位置に在る表示部材の少なくとも一部を外部から視認可能とする表示孔を前記器体に設けたことを特徴とする請求項１記載の速結端子装置。
【請求項３】
前記表示部材を操作孔に近付く向きに付勢する付勢手段を備えたことを特徴とする請求項１又は２記載の速結端子装置。
【請求項４】
前記電線挿通孔の周縁から電線の挿通方向に略沿って前記器体の外側に突出して電線を電線挿通孔に案内するガイド部を設けたことを特徴とする請求項１又は２又は３記載の速結端子装置。
【請求項５】
前記ガイド部の器体からの突出量を、導体の前記接続完了状態における当該導体の鎖錠ばねとの接触位置から前記被押圧部に当接する先端までの距離よりも大きくしたことを特徴とする請求項４記載の速結端子装置。
【請求項６】
前面が開口し底面に外部からの電線を引き込む電線引込孔を有して内部に開閉器などの内器が配設される箱体と、該箱体の前面開口を塞ぐ蓋体と、前記箱体内に収納されて前記電線引込孔から引き込まれた電線が接続される請求項１〜５の何れかに記載の速結端子装置とを備え、前記電線引込孔の電線引込方向と直交する方向に前記電線挿通孔の電線挿通方向を略一致させるとともに該電線挿通孔を前記電線引込孔側に配置し、且つ前記操作孔を箱体の開口側に向けて前記速結端子装置を箱体内に配設したことを特徴とする分電盤。
【発明の詳細な説明】
【０００１】
【発明の属する技術分野】
本発明は、配線器具や開閉器あるいは分電盤に用いられる速結端子装置及びこれを備えた分電盤に関するものである。
【０００２】
【従来の技術】
従来より、配線器具や開閉器（ブレーカ）あるいは分電盤等への電線の結線作業を容易にしたり、結線状態の均一化を図って結線の信頼性を確保したりする等の目的で、ねじによらずに結線が可能な所謂速結端子装置が用いられている。このような速結端子装置としては、例えば器体に形成された電線挿通孔から電線を挿通し、器体内に配設された端子板と板ばねよりなる鎖錠ばねとの間で電線を挟持して、電線を端子板に電気的に接続するようにしたものがある。
【０００３】
例えば、特開平５−８２１８２号公報に記載されている速結端子装置は、鎖錠ばねに表示用ばねを隣設した鎖錠部と、前記鎖錠ばねに電線挿入隙間を介して対向配置した端子板を有するとともに前記端子板に係止部を設けた端子部と、前記表示用ばねを押圧する方向に移動自在に配置されて前記表示用ばねを押圧する押圧部を有するとともに前記表示用ばねを押した状態で前記係止部に引っ掛かる引掛受け部を持った弾性のラッチ板を有して前記鎖錠ばねと前記端子板との間に進入させた電線の先端部に押圧されて前記引掛受け部の引掛けが外される表示片とを備えている（第１の従来例）。
【０００４】
また、特開平１０−１７７８６９号公報に記載されている速結端子装置は、電線挿通孔とこれに連通する収納部を有する器体と、収納部内に配設されて電線挿通孔から挿通された電線導体の周面の一部が接触する電線導体接触板と、電線挿通孔から挿通された電線導体を電線導体接触板に押し付ける状態に鎖錠する鎖錠ばねと、この鎖錠ばねを撓める解錠位置および鎖錠ばねを復帰する復帰位置の間で鎖錠ばねの側面に沿って電線導体の挿通方向で移動自在に器体に収納された解錠部材とを備えている（第２の従来例）。
【０００５】
さらに、特開平１０−７４５４３号公報に記載されている速結端子装置は、器体に設けられた挿通孔から器体内に差し込まれる電線を端子板の接触片との間で挟持固定する鎖錠ばねと、器体に回動自在に取り付けられ、器体外に突出する操作片、鎖錠ばねの鎖錠片を押圧するための駆動片、電線の先端によって押される駆動片を具備した解除レバーとを備え、挿通孔に挿通される電線導体の先端によって駆動片が押されて解除レバーが回動して電線導体が端子板の接触片と鎖錠ばねとの間で挟持されるとともに、一体に形成されたばね部によって復帰位置に付勢されている解除レバーを回転操作することで鎖錠ばねを解錠させるものである（第３の従来例）。
【０００６】
【発明が解決しようとする課題】
ところが、第１の従来例においては、鎖錠部を撓めた状態で表示片を保持し、この状態で電線導体を電線挿通孔に挿通することにより、表示片が移動して表示片によって撓められた鎖錠部を戻して電線導体を接続しているので、予め表示片によって鎖錠部を撓めておかなければ電線導体の接続完了表示ができなかった。従って、予め表示片で鎖錠部を撓める作業が煩わしく作業性が劣るという問題を有している。
【０００７】
また、第２の従来例においては、電線挿通孔に電線導体を挿通すると、電線導体の先端によって解錠部材の当接部が押圧されて解錠部材が回転して電線導体が鎖錠ばねによって電線導体接触板に接続されるのであるが、この解錠部材を復帰位置へ移動させるために復帰ばねが必要である。また、解錠作業は解錠部材を押圧操作することで行われるのであるが、復帰ばねによって常時解錠部材を復帰位置の方向へ付勢しているため、電線導体を挿通するときにも復帰ばねによる力が働いて電線導体が挿通しにくく、このために電線導体が接続しにくいという問題がある。
【０００８】
さらに、第３の従来例においては、第２の従来例のような復帰ばねが不要であり、部品点数が少なくて済むという利点があるものの、解除レバーに一体に形成されているばね部により常時解除レバーが復帰位置に付勢されているため、第１の従来例と同様に電線導体を挿通孔に挿通する際にもばね部の力が働き、電線導体が挿通しにくく、このために電線導体が接続しにくいという問題がある。
【０００９】
本発明は上記問題点の解決を目的とするものであり、部品点数の削減が図れるとともに電線が接続し易い速結端子装置及びこれを備えた分電盤を提供しようとするものである。
【００１０】
【課題を解決するための手段】
請求項１の発明は、上記目的を達成するために、電線を内部に挿通させる電線挿通孔、該電線挿通孔に連通する内方収納部並びに前記電線挿通孔に対する電線の挿通方向と略直交する方向から前記内方収納部に連通する操作孔を有する器体と、前記内方収納部内に納装されて前記電線挿通孔から挿通される電線の導体と接触導通する端子板と、前記導体を前記端子板方向に押圧して前記導体を前記端子板との間で挟持する鎖錠ばねと、前記導体の先端部によって押圧される被押圧部を有して前記電線挿通孔に対する電線挿通方向に沿って移動自在に前記内方収納部内に配設され、電線の非接続時には電線の接続未完了状態を表示する復帰位置に在り、前記電線挿通孔から電線の導体が挿通されて前記導体の先端部が前記端子板と前記鎖錠ばねとの間で挟持される挟持位置を越えて前記被押圧部が前記導体の先端部に押圧されると導体の接続完了状態を表示する接続完了位置まで前記内方収納部内を電線の挿通向きに移動する表示部材とを備え、前記表示部材を前記操作孔の連通方向に沿って移動自在に内方収納部内に配設し、前記操作孔から挿通される治具により押圧操作して前記接続完了位置に在る前記表示部材を前記治具の挿通向きに移動させたときに前記鎖錠ばねの導体を押圧する部位を撓ませて鎖錠ばねと導体とを開離させる解錠部を、少なくとも前記復帰位置において鎖錠ばねを撓ませないように前記表示部材に設け、前記器体の外側に開口して電線の被覆を含む外径よりも大きい径を有する大径部と、前記内方収納部側に開口して前記被覆を含む外径よりも小さく且つ前記導体の外径よりも大きい径を有する小径部とで前記電線挿通孔を構成し、電線の挿通方向に略直交する方向から前記大径部に連通する確認孔を前記器体に設けたことを特徴とし、表示部材の位置によって電線の接続状態を容易に判別することができるとともに、表示部材を操作孔を通して押圧操作すれば、表示部材に設けた解錠部によって鎖錠ばねを解錠して電線を簡単に抜くことができる。また、電線を抜くと導体によって撓められていた鎖錠ばねが元の状態に復帰し、その際に解錠部が鎖錠ばねに押圧されることで表示部材が接続完了位置から復帰位置まで移動するので、従来のように復帰ばねのような部品を使わずに鎖錠ばねによって表示部材を復帰位置に戻すことができ、部品点数の削減が図れる。しかも、表示部材が復帰位置に在るときには解錠部が鎖錠ばねを撓ませることがないから、電線が接続し易いだけでなく、従来例のように鎖錠ばねのばね力が経時的に低下する虞が少なくなる。また、電線の被覆を剥いて露出した導体を電線挿通孔に挿通したとき、表示部材が接続完了位置に移動した状態で確認孔を通して電線の被覆が視認できれば被覆の剥き量が適切であると判断でき、反対に確認孔を通して電線の被覆が視認できなければ被覆の剥き量が多過ぎると判断できるから、被覆の剥き量を適切な量とし電線挿通孔の外に電線の導体が露出することを防いで絶縁性を向上させることができる。
【００１１】
請求項２の発明は、請求項１の発明において、前記復帰位置に在る表示部材を視認不可能とし且つ接続完了位置に在る表示部材の少なくとも一部を外部から視認可能とする表示孔を前記器体に設けたことを特徴とし、表示孔を通して表示部材の少なくとも一部が視認可能か否かによって電線の接続未完了状態と接続完了状態との判別が容易に行える。
【００１２】
請求項３の発明は、請求項１又は２の発明において、前記表示部材を操作孔に近付く向きに付勢する付勢手段を備えたことを特徴とし、電線の接続完了状態において鎖錠ばねが撓んでも付勢手段によって付勢されているために表示部材が内方収納部内を鎖錠ばねの方に移動することがなく、見栄えを良くすることができる。
【００１４】
請求項４の発明は、請求項１又は２又は３の発明において、前記電線挿通孔の周縁から電線の挿通方向に略沿って前記器体の外側に突出して電線を電線挿通孔に案内するガイド部を設けたことを特徴とし、ガイド部によって器体の操作孔の側からでも電線挿通孔の位置を容易に知ることができ、電線の挿通作業が容易になる。
【００１５】
請求項５の発明は、請求項４の発明において、前記ガイド部の器体からの突出量を、導体の前記接続完了状態における当該導体の鎖錠ばねとの接触位置から前記被押圧部に当接する先端までの距離よりも大きくしたことを特徴とし、ガイド部が所謂ストリップゲージの役割を果たし、ガイド部の長さに合わせて電線の被覆を剥けば導体を適切な量だけ露出させることができるから、電線の導体を確実に端子板と接続させることができる。
【００１６】
請求項６の発明は、前面が開口し底面に外部からの電線を引き込む電線引込孔を有して内部に開閉器などの内器が配設される箱体と、該箱体の前面開口を塞ぐ蓋体と、前記箱体内に収納されて前記電線引込孔から引き込まれた電線が接続される請求項１〜５の何れかに記載の速結端子装置とを備え、前記電線引込孔の電線引込方向と直交する方向に前記電線挿通孔の電線挿通方向を略一致させるとともに該電線挿通孔を前記電線引込孔側に配置し、且つ前記操作孔を箱体の開口側に向けて前記速結端子装置を箱体内に配設したことを特徴とし、電線引込孔から箱体の内部に引き込んだ電線を略直角に折り曲げて速結端子装置の電線挿通孔に挿通して接続することができ、分電盤における結線作業が容易になる。また、速結端子装置の操作孔を箱体の開口側に向けているから、電線の解錠作業が容易に行える。
【００１７】
【発明の実施の形態】
以下、図面を参照して本発明の実施形態を詳細に説明する。
【００１８】
図１に本実施形態の速結端子装置Ａの分解斜視図を示し、図２に外観斜視図を示す。この速結端子装置Ａは、電線５０を内部に挿通させる複数の電線挿通孔２、各電線挿通孔２に連通する内方収納部３並びに各電線挿通孔２に対する電線５０の挿通方向と略直交する方向から内方収納部３に連通する複数の操作孔４を有する器体１と、内方収納部３内に納装されて電線挿通孔２から挿通される電線５０の導体５０ａと接触導通する端子板２０と、導体５０ａを端子板２０方向に押圧して導体５０ａを端子板２０との間で挟持する鎖錠ばね４０と、導体５０ａの先端部によって押圧される被押圧部３３を有して電線挿通孔２に対する電線挿通方向に沿って移動自在に内方収納部３内に配設され、電線５０の非接続時には電線５０の接続未完了状態を表示する復帰位置に在り、電線挿通孔２から電線５０の導体５０ａが挿通されて導体５０ａの先端部が端子板２０と鎖錠ばね４０との間で挟持される挟持位置を越えて被押圧部３３が導体５０ａの先端部に押圧されると導体５０ａの接続完了状態を表示する接続完了位置まで内方収納部３内を電線５０の挿通向きに移動する表示部材３０とを備えている。
【００１９】
器体１は、絶縁性を有する合成樹脂により下面が開口する略箱形に形成されたボディ１ａと、同じく絶縁性を有する合成樹脂により帯板状に形成されたベース１ｂとで構成される。ボディ１ａの前面には４つの電線挿通孔２が長手方向に沿って列設され、ボディ１ａの上面略中央にはボディ１ａとベース１ｂを組み立てるための組立ねじ６０を挿通する組立ねじ挿通孔５が設けられ、この組立ねじ挿通孔５を挟んでボディ１ａの長手方向に沿う直線上に夫々操作孔４が２つずつ列設されており、さらにボディ１ａ上面における背面側端部には内方収納部３に連通する４つの表示孔６が各々操作孔４に対してボディ１ａの長手方向と直交する方向（以下、「短幅方向」という）に隣接して設けられている。また、ボディ１ａの前面と上面との間には傾斜面が形成されており、この傾斜面には後述する確認孔７が長手方向に沿って４つ列設されている。さらに、ボディ１ａ前面における各電線挿通孔２の下側周縁には略半環状のガイド部８が突設されている。
【００２０】
ベース１ｂの上面略中央には組立ねじ６０が挿通される挿通孔９ａを有したボス９が立設されており、ベース１ｂの上面側にボディ１ａを結合した状態で、ボディ１ａの組立ねじ挿通孔５並びにボス９の挿通孔９ａに挿通された組立ねじ６０にベース１ｂの下面側でナット６１を締め付けることにより、ボディ１ａとベース１ｂが固定されて器体１が組み立てられる。ここで、ベース１ｂ上面の前面側端部にはボディ１ａ開口側の角部に嵌合してベース１ｂに対するボディ１ａの位置決めを行う位置決め突起１０が突設されている。また、ベース１ｂの長手方向両端部には端子ねじ２６を螺着する矩形のナット６２が嵌入される凹所１１が夫々設けてあり、各凹所１１の底面にはナット６２のねじ孔と連通する孔１１ａが設けてある。
【００２１】
端子板２０は、細長の矩形状であって略中央にベース１ｂのボス９が挿通されるボス挿通孔２１ａが穿孔されるとともに長手方向に沿った両端部に端子ねじ２６が挿通される挿通孔２１ｂが穿孔された主片２１と、主片２１の長手方向に沿った一端縁より略直角に曲げ起こされた側片２２と、側片２２先端縁の長手方向略中央から主片２１と対向するように略Ｌ字形に突出された対向片２３とが、金属板のような導電部材によって一体に形成されている。
【００２２】
対向片２３の長手方向略中央にはベース１ｂのボス９が挿通されるボス挿通孔２３ａが穿孔されるとともに先端側に開口する矩形のスリット２４１〜２４４がボス挿通孔２３ａの長手方向に沿った左右両側に各々４つずつ形成されている。また、対向片２３の折曲部位には４つの切欠２３ｂが長手方向に列設してある。
【００２３】
表示部材３０は絶縁性を有する合成樹脂により２個が一体に形成されており、個々の表示部材３０は、矩形平板状の主部３１と、主部３１の長手方向に沿った一端側の両端縁から下方に垂設されるとともに互いに対向する内側面下部に外向きの段差３２ａを有した矩形板状の一対の解錠部３２と、主部３１の長手方向に沿った他端側中央から下方に垂設されて上記切欠２３ｂと対向する被押圧部３３と、主部３１上面の前方端部から長手方向に沿って突設され主部３１よりも長手方向の寸法が短い突部３４と、主部３１の前面側端部から長手方向に沿った一方の側面に沿って下方へ垂設された略Ｓ字形の弾性片３５とを備え、主部３１の前面側端部から長手方向に沿った他方の側面より側方へ突設された連結片３６によって２つの表示部材３０が一体に連結されている。
【００２４】
上述のように構成される表示部材３０は、図３（ａ）及び図４（ａ）に示すように端子板２０の対向片２３に形成されている各スリット２４１〜２４４にそれぞれ解錠部３２を上方から挿通するとともに被押圧部３３を各切欠２３ｂに挿通するようにして対向片２３の上面側に載置される。ここで、解錠部３２の前後方向における幅寸法はスリット２４１〜２４４の長さ寸法よりも短くしてあるから、表示部材３０はスリット２４１〜２４４に沿って前後方向に摺動自在となっている。また、各表示部材３０の弾性片３５の下端部が対向片２３の上面に当接しており、弾性片３５の撓みによって表示部材３０が上下方向に移動自在となっている。ここで、２つのスリット２４１と２４２及び２４３と２４４間にあって各表示部材３０の解錠部３２，３２に挟まれる部位は、後述するように電線５０の導体５０ａと端子板２０とを接触導通させる部位となるから、以後のこの部位を端子片２５と呼ぶ。
【００２５】
そして、図３（ａ）及び図４（ａ）に示すように表示部材３０の解錠部３２，３２並びに端子板２０の主片２１と端子片２５とに囲まれた空間にそれぞれ鎖錠ばね４０が配置される。鎖錠ばね４０は、弾性を有する導電材料の帯板の両端部を曲成して中央片４０ｃの両端部に鎖錠片４０ａ及び接触片４０ｂが形成されている。鎖錠片４０ａは電線挿通孔２側に位置する中央片４０ｃとの連結部位から先端縁に向かって（すなわち、電線の挿通向きに）、端子板２０の端子片２５に近づく向きに傾斜し、接触片４０ｂは略Ｓ字形に曲成されている。また、中央片４０ｃは略平板状に形成されていて端子片２５と対向する端子板２０の主片２１に当接する。
【００２６】
次に本実施形態の速結端子装置Ａの組立手順を簡単に説明する。まず、ボス９を主片２１の挿通孔２１ａ及び対向片２３のボス挿通孔２３ａに挿通して端子板２０をベース１ｂの上面に載置し、主片２１の両端部に設けた挿通孔２１ｂ，２１ｂに挿通した端子ねじ２６，２６をナット６２，６２に螺合し締め付けることで端子板２０をベース１ｂに固定する。それから、対向片２３の各スリット２４１〜２４４にそれぞれ解錠部３２を上方から挿通するとともに被押圧部３３を各切欠２３ｂに挿通するようにして対向片２３の上面側に表示部材３０を載置する。そして、表示部材３０の解錠部３２，３２並びに端子板２０の主片２１と端子片２５とに囲まれた空間に、それぞれ接触片４０ｂの方から鎖錠ばね４０を挿入して配置する。最後に端子板２０、表示部材３０並びに鎖錠ばね４０を内方収納部３内に収めるようにベース１ｂの上面にボディ１ａを被せ、ボディ１ａの組立ねじ挿通孔５並びにボス９の挿通孔９ａに挿通された組立ねじ６０にベース１ｂの下面側でナット６１を締め付けてボディ１ａとベース１ｂを固定することで速結端子装置Ａが組み立てられる。なお、ボディ１ａの長手方向に対向する両側面の下端部には端子板２０の主片２１並びに側片２２と嵌合する嵌合溝１２が形成されており、ボディ１ａとベース１ｂを結合して器体１を組み立てれば、図２に示すように嵌合溝１２が端子板２０の主片２１及び側片２２に嵌合し、端子ねじ２６が設けられた端子板２０の両端部がボディ１ａの外に露出することになる。
【００２７】
ここで、電線５０の非接続時には、図３（ａ）に示すように鎖錠ばね４０の鎖錠片４０ａが解錠部３２の段差３２ａと対向しており、鎖錠片４０ａによって表示部材３０が内方収納部３内の前側の位置から後方（図３における右方）への移動を規制されており、表示部材３０の被押圧部３３が対向片２３の切欠２３ｂ内に収まっているために、器体１の上面に設けた表示孔６からは表示部材３０を視認することができず、表示部材３０は電線５０の接続未完了状態を表示している。したがって、表示部材３０が表示孔６を通して外部から視認不可能なことから、作業者は電線５０の非接続状態を容易に判別することができる。なお、このように表示部材３０が電線５０の接続未完了状態を表示する位置を復帰位置と呼ぶ。
【００２８】
次に、電線５０を接続する場合には、図３（ａ）〜（ｃ）並びに図４（ａ）〜（ｃ）に示すように、器体１前面に設けられた電線挿通孔２から電線５０を挿通すると、鎖錠ばね４０の鎖錠片４０ａ及び接触片４０ｂと、端子板２０の端子片２５との間に、電線５０の被覆５０ｂが剥かれた導体５０ａが挟持され、鎖錠片４０ａの先端縁が導体５０ａに食い込むことによって、電線５０の脱落が防止されるようになっている。したがって、電線挿通孔２に電線５０を挿入するだけで、電線５０が保持されるとともに、端子板２０への電気的接続がなされるのである。なお、電線挿通孔２の周縁にガイド部８が設けてあるから、ガイド部８によって器体１の操作孔４が開口する側（上面側）からでも電線挿通孔２の位置を容易に知ることができ、電線５０の接続作業が容易になるものである。
【００２９】
ここで、図３（ｂ）及び図４（ｂ）に示すように電線挿通孔２から挿通された導体５０ａの先端部が、端子片２５と鎖錠片４０ａ及び接触片４０ｂとの挟持位置を越えて、対向片２３の切欠２３ｂを通して表示部材３０の被押圧部３３を押圧すると、表示部材３０は鎖錠片４０ａによる規制が無くなって内方収納部３内を後方（図４における左方）へ移動する。この時、表示部材３０の被押圧部３３の上部が器体１の表示孔６の位置まで移動するので、表示孔６を通して外部から表示部材３０が視認可能となって電線５０の接続完了状態を表示する。したがって、作業者は表示部材３０が視認可能なことから、電線５０が接続されたことを容易に確認することができる。而して、表示孔６を通して表示部材３０が視認可能か否か、すなわち「０」か「１」かのデジタル的な表示によって電線５０の接続完了状態と接続未完了状態との識別が容易に行える。なお、表示部材３０は付勢手段たる弾性片３５によって上方（操作孔４に近付く向き）に付勢されているから、電線５０の接続完了状態において鎖錠ばね４０が撓んでも内方収納部３内を下方（鎖錠ばね４０に近付く向き）に移動することがなく、操作孔４と表示部材３０との位置関係が変化しないことから外観上の見栄えを良くすることができる。
【００３０】
次に、接続されている電線５０を外す場合は、図３（ｃ）及び図４（ｃ）に示すように、作業者がドライバなどの工具７０を器体１上面の操作孔４から挿通し、表示部材３０の突部３４を弾性片３５のばね力に抗して押圧し表示部材３０を下方へ移動させると、表示部材３０の解錠部３２が段差３２ａの部分において鎖錠ばね４０の鎖錠片４０ａを押圧し、鎖錠片４０ａを電線５０の導体５０ａから引き離す向きに撓ませるので、鎖錠片４０ａが導体５０ａから離れて、電線５０を容易に引き抜くことができる。そして、電線５０が引き抜かれた後に、作業者が操作孔４から工具７０を抜くと、表示部材３０は鎖錠片４０ａのばね力によって内方収納部３内を前方に移動するとともに弾性片３５のばね付勢力によって上方へ移動し、図３（ａ）及び図４（ａ）に示すように復帰位置に復帰し、表示孔６を通して表示部材３０が視認不可能となって電線５０の接続未完了状態を表示する。
【００３１】
而して、本実施形態では鎖錠ばね４０によって表示部材３０を復帰位置に戻すことができるから、従来のように復帰ばねのような部品が不要となって部品点数の削減が図れる。しかも、表示部材３０が復帰位置に在るときには解錠部３２が鎖錠ばね４０を撓ませることがないから、電線５０が接続し易いだけでなく、従来例のように鎖錠ばね４０のばね力が経時的に低下する虞が少なくなるという利点がある。
【００３２】
ところで、本実施形態においては、器体１の外側に開口して電線５０の被覆５０ｂを含む外径よりも大きい径を有する大径部２ａと、内方収納部３側に開口して被覆５０ｂを含む外径よりも小さく且つ導体５０ａの外径よりも大きい径を有する小径部２ｂとで電線挿通孔２を構成するとともに、電線５０の挿通方向に略直交する方向から大径部２ａに連通する確認孔７を器体１（ボディ１ａ）に設けてある。すなわち、電線５０の被覆５０ｂを剥いて露出した導体５０ａを電線挿通孔２に挿通したとき、図３（ｂ）に示すように表示部材３０が接続完了位置に移動した状態で確認孔７を通して電線５０の被覆５０ｂが視認できれば被覆５０ｂの剥き量が適切であると判断でき、反対に確認孔７を通して電線５０の被覆５０ｂが視認できなければ被覆５０ｂの剥き量が多過ぎると判断できる。したがって、電線５０の被覆５０ｂを徐々に剥いて繰り返し接続することにより、被覆５０ｂの剥き量を適切な量とし電線挿通孔２の外に電線５０の導体５０ａが露出することを防いで絶縁性を向上させることができる。
【００３３】
また、図５に示すように電線挿通孔２の周縁に形成したガイド部８の器体１（ボディ１ａ）からの突出量を、導体５０ａの接続完了状態における導体５０ａの鎖錠ばね４０との接触位置から被押圧部３３に当接する先端までの距離ｘよりも大きくすれば、ガイド部８が所謂ストリップゲージの役割を果たし、ガイド部８の長さに合わせて電線５０の被覆５０ｂを剥けば導体５０ａを適切な量だけ露出させることができ、電線５０の導体５０ａを確実に端子板２０と接続させることができる。
【００３４】
ところで、本発明の技術思想は開閉器（ブレーカ）や配線器具あるいは分電盤などに適用可能であるが、以下では本実施形態の速結端子装置Ａを備えた分電盤について説明する。
【００３５】
図６は分電盤の側面断面図を示しており、前面が開口し底面に外部からの電線を引き込む電線引込孔８３を有して内部に主幹開閉器（図示せず）並びに複数の分岐開閉器８２などの内器が配設される箱体８０と、箱体８０の前面開口を開閉自在に塞ぐ蓋体８１と、箱体８０内に収納されて電線引込孔から引き込まれた電線が接続される速結端子装置Ａとを備えている。
【００３６】
ここに、分岐開閉器８２は箱体８０内において上下２列に配設され、各列には複数台が並設される。これらの上下２列間には３つの導電バー８４，８５，８６が分岐開閉器８２の並設方向に延長するように配置される。なお、上列の分岐開閉器８２は上側に出力端子が位置し、下列の分岐開閉器８２は下側に出力端子が位置する。
【００３７】
ところで、主幹開閉器及び複数の分岐開閉器８２が配設される取付部材は、箱体８０に取り付けられる。この取付部材は、両側縁が上方向に折り曲げられた鉄板からなり箱体８０内で上下に間隔をあけて横方向に並行配設される２つの基台８７，８７と、これら基台８７，８７間に橋絡するように配設される鉄板製の取付ベース（図示せず）と、基台８７，８７間の間隙に対応するように凹ませた取付ベースの中央凹部内に配設される樹脂製の導電バー用取付ベース（図示せず）と、この導電バー用取付ベースの上と基台８７上に被るように夫々配置された取付ベースの側片とに亙るように配設される分岐開閉器固定用の樹脂製の固定ベース８８と、基台８７，８７の一端部に側端部が固定されて側方に配置される鉄板製の主幹開閉器用固定ベースとから成る。
【００３８】
また、各導電バー用取付ベースの一端側には夫々中性極Ｎの導電バー８４を支持するための支持ポストを一体突設してある。導電バー８４は、両端部に形成した取付片に穿設した挿通孔を介して固定ねじを支持ポストの上端部の凹部に収納固定されるナット（図示せず）に締結することで支持ポスト間に橋絡配置される。また支持ポスト間を結ぶ中央部の両側の平面部がＬ１，Ｌ２の電圧極の導電バー８５，８６を配置する配置部位となり、これらの配置部位の側方の上面には固定ベース８８を支持するピンを所定間隔で両端方向に一体立設してある。
【００３９】
また支持ポスト間には導電バー８５，８６から一体に延長形成された一対の脚片９５，９６ごとに分離する分離壁と、脚片９５，９６の基部を沿わせるリブとを突設してある。導電バー８５，８６は固定ベース８８が配設される前に、導電バー用取付ベース上の夫々の配置部位に配置固定される。
【００４０】
導電バー８５，８６は同一形状に形成されており、対称配置されるようになっているもので、両端には固定ねじを挿通する挿通孔が設けられ、固定ねじを挿通孔を介して、導電バー用取付ベースの凹部内に配置されるナット（図示せず）に締結することで固持されるようになっている。固定ベース８８は導電バー８５，８６を導電バー用取付ベースに配設した後に導電バー用取付ベースと取付ベースの側片上に亙るよう配設される。この際固定ベース８８の裏面より突出形成している係止爪を側片に形成している係止孔に挿入係止して固定ベース８８は固定される。
【００４１】
分岐開閉器８２は以上のように構成される第１取付部材が箱体８０に取り付けられた状態において固定ベース８８上に固定配設されるのである。
【００４２】
また、箱体８０の底板８０ａの中央部には四角形状（矩形状）に開口した電線引込孔８３が形成されている。また、底板８０ａには左右２個ずつの取付部たる支持台８９，８９が前方に突設されている。上側に位置する各支持台８９の周囲にはそれぞれ断面Ｌ字状であって矩形領域の角部をなすように配列されたガイド壁８５が形成され、下側に位置する各支持台８９の周囲にはそれぞれ断面Ｌ字状であって矩形領域の角部をなすように配列されたガイド壁（図示せず）が形成されている。上側の支持台８９には下方に隣接して底板８０ａからの突出寸法が支持台８９よりもやや大きい抜け止めボス９０が形成されている。また、下側の支持台８９の周囲に設けたガイド壁の前端側には下半分程度の受け片が連続一体に形成されている。ここに、底板８０ａから受け片までの距離は底板８０ａから支持台８９の先端面までの距離よりもやや大きく設定されている。
【００４３】
また、底板８０ａにおける電線引込孔８３の周縁には全周にわたって前方に突出するリブ９１が形成されており、このリブ９１によって電線引込孔８３の周部が補強されている。
【００４４】
箱体８０に形成した一方の支持台８９には、各基台８７，８７の一端部が載置されるとともに、支持台８９，８９に螺入される取付ねじを用いて箱体８０に固定される。
【００４５】
ところで、速結端子装置Ａは、電線引込孔８３近傍のリブ９１の外側に設けた取付部９２に対して、電線引込孔８３の電線引込方向（箱体８０の底板８０ａに直交する方向）と直交する方向に電線挿通孔２の電線挿通方向を略一致させるとともに電線挿通孔２を電線引込孔８３側に配置し、且つ操作孔４を箱体８０の開口側に向けて取り付けられている。そして、速結端子装置Ａの端子板２０と各分岐開閉器８２の出力端子とが導電部材によって電気的に接続される。
【００４６】
そして、電線引込孔８３から箱体８０の内部に引き込んだ電線を略直角に折り曲げて速結端子装置Ａの電線挿通孔２に挿通して接続することができ、分電盤における結線作業が容易になるものである。また、速結端子装置Ａの操作孔４を箱体８０の開口側に向けているから、電線の解錠作業が容易に行えるという利点がある。
【００４７】
【発明の効果】
請求項１の発明は、電線を内部に挿通させる電線挿通孔、該電線挿通孔に連通する内方収納部並びに前記電線挿通孔に対する電線の挿通方向と略直交する方向から前記内方収納部に連通する操作孔を有する器体と、前記内方収納部内に納装されて前記電線挿通孔から挿通される電線の導体と接触導通する端子板と、前記導体を前記端子板方向に押圧して前記導体を前記端子板との間で挟持する鎖錠ばねと、前記導体の先端部によって押圧される被押圧部を有して前記電線挿通孔に対する電線挿通方向に沿って移動自在に前記内方収納部内に配設され、電線の非接続時には電線の接続未完了状態を表示する復帰位置に在り、前記電線挿通孔から電線の導体が挿通されて前記導体の先端部が前記端子板と前記鎖錠ばねとの間で挟持される挟持位置を越えて前記被押圧部が前記導体の先端部に押圧されると導体の接続完了状態を表示する接続完了位置まで前記内方収納部内を電線の挿通向きに移動する表示部材とを備え、前記表示部材を前記操作孔の連通方向に沿って移動自在に内方収納部内に配設し、前記操作孔から挿通される治具により押圧操作して前記接続完了位置に在る前記表示部材を前記治具の挿通向きに移動させたときに前記鎖錠ばねの導体を押圧する部位を撓ませて鎖錠ばねと導体とを開離させる解錠部を、少なくとも前記復帰位置において鎖錠ばねを撓ませないように前記表示部材に設けたので、表示部材の位置によって電線の接続状態を容易に判別することができるとともに、表示部材を操作孔を通して押圧操作すれば、表示部材に設けた解錠部によって鎖錠ばねを解錠して電線を簡単に抜くことができる。また、電線を抜くと導体によって撓められていた鎖錠ばねが元の状態に復帰し、その際に解錠部が鎖錠ばねに押圧されることで表示部材が接続完了位置から復帰位置まで移動するので、従来のように復帰ばねのような部品を使わずに鎖錠ばねによって表示部材を復帰位置に戻すことができ、部品点数の削減が図れる。しかも、表示部材が復帰位置に在るときには解錠部が鎖錠ばねを撓ませることがないから、電線が接続し易いだけでなく、従来例のように鎖錠ばねのばね力が経時的に低下する虞が少なくなる。さらに、前記器体の外側に開口して電線の被覆を含む外径よりも大きい径を有する大径部と、前記内方収納部側に開口して前記被覆を含む外径よりも小さく且つ前記導体の外径よりも大きい径を有する小径部とで前記電線挿通孔を構成し、電線の挿通方向に略直交する方向から前記大径部に連通する確認孔を前記器体に設けたので、電線の被覆を剥いて露出した導体を電線挿通孔に挿通したとき、表示部材が接続完了位置に移動した状態で確認孔を通して電線の被覆が視認できれば被覆の剥き量が適切であると判断でき、反対に確認孔を通して電線の被覆が視認できなければ被覆の剥き量が多過ぎると判断できるから、被覆の剥き量を適切な量とし電線挿通孔の外に電線の導体が露出することを防いで絶縁性を向上させることができる。
【００４８】
請求項２の発明は、請求項１の発明において、前記復帰位置に在る表示部材を視認不可能とし且つ接続完了位置に在る表示部材の少なくとも一部を外部から視認可能とする表示孔を前記器体に設けたので、表示孔を通して表示部材の少なくとも一部が視認可能か否かによって電線の接続未完了状態と接続完了状態との判別が容易に行える。
【００４９】
請求項３の発明は、請求項１又は２の発明において、前記表示部材を操作孔に近付く向きに付勢する付勢手段を備えたので、電線の接続完了状態において鎖錠ばねが撓んでも付勢手段によって付勢されているために表示部材が内方収納部内を鎖錠ばねの方に移動することがなく、見栄えを良くすることができる。
【００５１】
請求項４の発明は、請求項１又は２又は３の発明において、前記電線挿通孔の周縁から電線の挿通方向に略沿って前記器体の外側に突出して電線を電線挿通孔に案内するガイド部を設けたので、ガイド部によって器体の操作孔の側からでも電線挿通孔の位置を容易に知ることができ、電線の挿通作業が容易になる。
【００５２】
請求項５の発明は、請求項４の発明において、前記ガイド部の器体からの突出量を、導体の前記接続完了状態における当該導体の鎖錠ばねとの接触位置から前記被押圧部に当接する先端までの距離よりも大きくしたので、ガイド部が所謂ストリップゲージの役割を果たし、ガイド部の長さに合わせて電線の被覆を剥けば導体を適切な量だけ露出させることができるから、電線の導体を確実に端子板と接続させることができる。
【００５３】
請求項６の発明は、前面が開口し底面に外部からの電線を引き込む電線引込孔を有して内部に開閉器などの内器が配設される箱体と、該箱体の前面開口を塞ぐ蓋体と、前記箱体内に収納されて前記電線引込孔から引き込まれた電線が接続される請求項１〜５の何れかに記載の速結端子装置とを備え、前記電線引込孔の電線引込方向と直交する方向に前記電線挿通孔の電線挿通方向を略一致させるとともに該電線挿通孔を前記電線引込孔側に配置し、且つ前記操作孔を箱体の開口側に向けて前記速結端子装置を箱体内に配設したので、電線引込孔から箱体の内部に引き込んだ電線を略直角に折り曲げて速結端子装置の電線挿通孔に挿通して接続することができ、分電盤における結線作業が容易になる。また、速結端子装置の操作孔を箱体の開口側に向けているから、電線の解錠作業が容易に行える。
【図面の簡単な説明】
【図１】実施形態の速結端子装置を示す分解斜視図である。
【図２】同上の速結端子装置の外観斜視図である。
【図３】（ａ）〜（ｃ）は同上の動作説明図である。
【図４】（ａ）〜（ｃ）は同上の動作説明図である。
【図５】（ａ）〜（ｃ）は同上の他の構成における動作説明図である。
【図６】同上の速結端子装置を備えた分電盤を示す側断面図である。
【符号の説明】
１  器体
２  電線挿通孔
３  内方収納部
４  操作孔
２０  端子板
２５  端子片
３０  表示部材
３２  解錠部
３３  被押圧部
４０  鎖錠ばね
４０ａ  鎖錠片
４０ｂ  接触片
【図１】
0003608462.tif 000002
【図２】
0003608462.tif 000003
【図３】
0003608462.tif 000004
【図４】
0003608462.tif 000005
【図５】
0003608462.tif 000006
【図６】
0003608462.tif 000007